(57)【要約】【課題】工具等を使うことなく壁や天井等へのブラインドの着脱を簡単に行うことができ、かつ小型化が可能なブラインド取付構造体を提供する。【解決手段】天井１にタッピングビス１ａで固定されるホルダ３０と、ホルダ３０に収納されるナット４０とネジ部２２によって結合されるソケット２０と、円形断面を有すると共にブラインド２の上端部に取り付けられ、ソケット２０と着脱自在に係合されるプラグ１０とを具備する。プラグ１０の外周面には溝１４が形成され、ソケット２０には、コイルばね２６の付勢力に抗してソケット２０の下面に形成された係合孔にプラグ１０を押し込むことで溝１４に係合するロックプレート２４が設けられる。このロックプレート２４は、操作部材２４ｃと係合部材２４ｄとから構成され、プラグ１０とソケット２０との係合状態は、コイルばね２６の付勢力に抗して係合部材２４ｄを径方向に移動させると解除される。【選択図】図２
2008014035.tif 000002
【特許請求の範囲】
【請求項１】
ブラインドを被取付部に着脱自在に取り付けるためのブラインド取付構造体において、
被取付部に固定されるホルダと、
前記ホルダに取り付けられるソケットと、
前記ブラインドの一端に取り付けられ、前記ソケットと着脱自在に係合されるプラグとを具備し、
前記プラグの外周面に係止部が形成されており、
前記ソケットには、前記プラグを前記ソケットに形成された係合孔に付勢部材の付勢力に抗して押し込むことによって、前記プラグの係止部に係合する係合部材が設けられており、
前記プラグと前記ソケットとの係合状態は、前記付勢部材の付勢力に抗して前記係合部材を径方向に移動させることで解除されるように構成されていることを特徴とするブラインド取付構造体。
【請求項２】
ブラインドを被取付部に着脱自在に取り付けるためのブラインド取付構造体において、
ブラインドの一端に固定されるホルダと、
前記ホルダに取り付けられるソケットと、
前記被取付部に取り付けられ、前記ソケットと着脱自在に係合されるプラグとを具備し、
前記プラグの外周面に係止部が形成されており、
前記ソケットには、前記プラグを前記ソケットに形成された係合孔に付勢部材の付勢力に抗して押し込むことによって、前記プラグの係止部に係合する係合部材が設けられており、
前記プラグと前記ソケットとの係合状態は、前記付勢部材の付勢力に抗して前記係合部材を径方向に移動させることで解除されるように構成されていることを特徴とするブラインド取付構造体。
【請求項３】
前記ソケットの一端にネジ部が形成され、
前記ホルダには、前記ソケットのネジ部と螺合するナット部材が収納されており、
前記ナット部材は、前記ホルダ内に回転不能であってかつ前記ホルダに形成された長孔の長さの範囲内で摺動可能に構成されていることを特徴とする請求項１または２に記載のブラインド取付構造体。
【発明の詳細な説明】
【技術分野】
【０００１】
本発明は、ブラインド取付構造体に係り、特に、工具等を使うことなく壁や天井等へのブラインドの着脱を簡単に行うことができ、かつ小型化が可能なブラインド取付構造体に関する。
【背景技術】
【０００２】
従来から、壁や天井等にブラインドを取り付けるためのブラケットにおいて、ブラインドの交換や掃除等で着脱作業が行われることを考慮して、着脱作業をより容易にした構造が知られている。
【０００３】
特許文献１には、ブラインドが収納されるケースの上面部にレール状の支持部材を取り付けると共に、天井面に磁石等で吸着されるブラケット本体を設け、前記レール状の支持部材とブラケット本体とを結合させるようにしたブラケットの構成が開示されている。前記ブラケット本体には、水平方向に所定の角度旋回させることで前記支持部材との係合・非係合状態が切り替わる係合爪が形成されているので、ブラケット本体を天井面に吸着させたまま所定の角度旋回させることでブラインドの着脱が可能となる。
【０００４】
また、特許文献２には、ブラインドが収納されるケースの側面部に支持部を形成すると共に、壁面にビス等で固定され、前記支持部を挟み込んで保持するための可動支持片が取り付けられたブラケット本体を設け、前記支持部とブラケット本体とを結合させるようにしたブラケットの構成が開示されている。該構成においては、可動支持片の回動動作を規制するスリーブ部材を摺動させて可動支持片の回動動作を開放することでブラインドの着脱が可能となる。
【特許文献１】特開２０００−７３６７７号公報
【特許文献２】特開平７−２６９２４９号公報
【発明の開示】
【発明が解決しようとする課題】
【０００５】
しかしながら、特許文献１の技術では、ブラインドの重量を安定的に支持可能な吸着力を得るために、磁石等を使用したブラケット本体が大型化しやすかった。また、ブラインドを着脱する度にブラケット本体を旋回動作させる必要があり、着脱操作がわずらわしいという課題があった。
【０００６】
また、特許文献２の技術では、ブラケット本体に対して外方に回動動作する可動支持片を有するので、ブラケット本体が大型化しやすく、これに伴って、壁等とブラインドとの間隔を狭くするのが難しくなるという課題があった。
【０００７】
本発明の目的は、上記した従来技術の課題を解決し、工具等を使うことなく壁や天井等へのブラインドの着脱を簡単に行うことができ、かつ小型化が可能なブラインド取付構造体を提供することにある。
【課題を解決するための手段】
【０００８】
前記した目的を達成するために、本発明は、ブラインドを被取付部に着脱自在に取り付けるためのブラインド取付構造体において、被取付部に固定されるホルダと、前記ホルダに取り付けられるソケットと、前記ブラインドの一端に取り付けられ、前記ソケットと着脱自在に係合されるプラグとを具備し、前記プラグの外周面に係止部が形成されており、前記ソケットには、前記プラグを前記ソケットに形成された係合孔に付勢部材の付勢力に抗して押し込むことによって、前記プラグの係止部に係合する係合部材が設けられており、前記プラグと前記ソケットとの係合状態は、前記付勢部材の付勢力に抗して前記係合部材を径方向に移動させることで解除されるように構成されている点に第１の特徴がある。
【０００９】
また、ブラインドを被取付部に着脱自在に取り付けるためのブラインド取付構造体において、ブラインドの一端に固定されるホルダと、前記ホルダに取り付けられるソケットと、前記被取付部に取り付けられ、前記ソケットと着脱自在に係合されるプラグとを具備し、前記プラグの外周面に係止部が形成されており、前記ソケットには、前記プラグを前記ソケットに形成された係合孔に付勢部材の付勢力に抗して押し込むことによって、前記プラグの係止部に係合する係合部材が設けられており、前記プラグと前記ソケットとの係合状態は、前記付勢部材の付勢力に抗して前記係合部材を径方向に移動させることで解除されるように構成されている点に第２の特徴がある。
【００１０】
さらに、前記ソケットの一端にネジ部が形成され、前記ホルダには、前記ソケットのネジ部と螺合するナット部材が収納されており、前記ナット部材は、前記ホルダ内に回転不能であってかつ前記ホルダに形成された長孔の長さの範囲内で摺動可能に構成されている点に第３の特徴がある。
【発明の効果】
【００１１】
第１の発明によれば、被取付部に固定されるホルダと、ホルダに取り付けられるソケットと、ブラインドの一端に取り付けられ、ソケットと着脱自在に係合されるプラグとを具備し、プラグの外周面に係止部が形成されており、ソケットには、プラグをソケットに形成された係合孔に、付勢部材の付勢力に抗して押し込むことによってプラグの係止部に係合する係合部材が設けられており、プラグとソケットとの係合状態は、付勢部材の付勢力に抗して係合部材を径方向に移動させることで解除されるように構成されているので、天井等の被取付部側にホルダおよびソケットを固定しておき、ブラインド側にプラグを取り付けておくことによって、工具を使用せずにブラインドの着脱作業を行うことが可能となる。また、レール状の保持部材を使用する従来方式とは異なり、略円柱状のプラグと該プラグが挿入されるソケットとからなる構成であるので、ソケットおよびプラグの小型化を図ることができ、天井とブラインドとの間隔を狭めてブラインドの外観性を高めることが可能となる。また、簡単な構造でソケットを形成できるので、ブラインド取付構造体の製造コストを大幅に低減することが可能となる。さらに、工具を使わずにブラインドの着脱ができるので、天井とブラインドとの間隔を狭めた場合でも、着脱作業のしやすさを保つことができる。
【００１２】
第２の発明によれば、ブラインドの一端に固定されるホルダと、ホルダに取り付けられるソケットと、被取付部に取り付けられ、ソケットと着脱自在に係合されるプラグとを具備し、プラグの外周面に係止部が形成されており、ソケットには、プラグをソケットに形成された係合孔に付勢部材の付勢力に抗して押し込むことによってプラグの係止部に係合する係合部材が設けられており、プラグとソケットとの係合状態は、付勢部材の付勢力に抗して係合部材を径方向に移動させることで解除されるように構成されているので、ブラインド側にホルダおよびソケットを固定しておき、天井等の被取付部側にプラグを取り付けておくことによって、工具を使用せずにブラインドの着脱作業を行うことが可能となる。さらに、被取付部には小型なプラグが存在するのみなので、ブラインドを取り外した際の被取付部の外観性に与える影響を低減することができる。
【００１３】
第３の発明によれば、ソケットの一端にネジ部が形成され、ホルダには、ソケットのネジ部と螺合するナット部材が収納されており、ナット部材は、ホルダ内に回転不能であってかつホルダに形成された長孔の長さの範囲内で摺動可能に構成されているので、ブラインドを天井等の被取付部に取り付けた状態で取付位置の微調整を行うことができ、さらに、交換前のブラインドと交換後のブラインドとでプラグの取付位置に若干のずれが生じていた場合でも、このずれを吸収して容易に取付作業を行うことが可能となる。
【発明を実施するための最良の形態】
【００１４】
以下、図面を参照して本発明の好ましい実施の形態について詳細に説明する。図１は、本発明の一実施形態に係るブラインド取付構造体が適用されたブラインド２の斜視図である。被取付部としての天井１に取り付けられるブラインド２は、薄板状のスラット４が水平方向に配設された周知の横型ブラインドである。ヘッドボックス３とボトムレール５との間に複数配設されるスラット４は、ボトムレール５を吊り下げると共にスラット４を貫通する昇降コード６に対して、スラット４の側端部に接するように配設された２本のラダーコード７によって所定の位置に保持されている。ヘッドボックス３の一端部には、ブラインド２の状態を変更するためのチルトポール８が取り付けられている。このチルトポール８は、その軸方向に回転させると前記ラダーコード７が駆動されてスラット４の傾きが変更され、また、チルトポール８の下端部に取り付けられた短筒状のイコライザ９を図示下方に牽引すると、前記昇降コード６が上方に引かれてボトムレール５が上昇するように構成されている。
【００１５】
本実施形態に係るブラインド取付構造体は、ヘッドボックス３の上面に取り付けられたプラグ１０、該プラグ１０を着脱自在に保持するソケット２０、該ソケット２０と連結されると共に天井１にネジ等で固定されるホルダ３０とから構成されている。本実施形態においては、２セットのブラインド取付構造体が使用されているが、この個数はブラインド２の重量等により任意に増減することができる。また、本発明に係るブラインド取付構造体は、複数のスラットを鉛直方向に配設した縦型タイプのブラインドや、シートタイプのスクリーン、巻き取り式のすだれ等にも同様に適用することが可能である。
【００１６】
図２は、本発明の一実施形態に係るブラインド取付構造体の構成を示す一部断面正面図であり、図３は、前記ホルダ３０の上面図である。前記と同一符号は、同一または同等部分を示す。図２では、ボトムレール５を上昇させることで複数のスラット４が互いに近接した状態を示している。ブラインド２のヘッドボックス３は、薄板状の軽金属や樹脂等から形成される箱状物であり、前記プラグ１０は、ヘッドボックス３の裏面側からワッシャ５１を介して取付ネジ５０を螺合することでヘッドボックス３に回動不能に取り付けられている。一方、天井側には、タッピングネジ１ａによってホルダ３０が固定されている。該ホルダ３０は、図示上方の一面が開放された箱状の本体部３１と、該本体部３１に連結された延出部３２とから構成されており、前記タッピングネジ１ａは、延出部３２に形成された貫通孔３２ａを通って天井１にねじ込まれている。
【００１７】
ホルダ３０の本体部３１には、ナット４０およびワッシャ４１が収納されている。このナット４０は、本体部３１の内部で回転不能かつ延出部３２の延出方向に摺動可能となるように保持されている。そして、ワッシャ４１が接する箱状部の底面には、延出部３２が延出される方向を長手方向とする長孔３１ａが形成されており、ナット４０のネジ孔４０ａにネジ等が螺合された状態でも、ナット４０が前記長手方向に摺動可能となるように構成されている。なお、本実施形態に係るホルダ３０は、延出部３２の延出方向が前記ヘッドボックス３の長手方向と合致するように天井１に取り付けられることとなる。また、ナット４０は、本実施形態で示すような正６角形断面を有するものに限られず、円盤状部材の円周面に略平行な２面を形成したものや、直方体部材等への種々の変形が可能である。
【００１８】
そして、ホルダ３０とプラグ１０との間には、ホルダ３０に連結され、かつプラグ１０を着脱自在に保持するソケット２０が配設されている。本実施形態に係るソケット２０は、６角柱形状とされるソケットボディ２１の上端に前記ナット４０と螺合されるネジ部２２が形成されると共に、ソケットボディ２１を水平方向に貫通するスリット２３に薄板状のロックプレート２４が挿入された構成とされている。本実施形態に係るプラグ１０は、ソケットボディ２１に形成された係合孔（図６参照）に鉛直方向下方から挿入する略円柱状の部材であり、レール状の保持部材等を使用する従来方式に比して大幅な小型化が達成されている。
【００１９】
なお、プラグ１０およびソケット２０の保持構造の詳細は後述するが、プラグ１０をソケットボディ２１の係合孔に押し込むと、ソケットボディ２１に内装される施錠手段としてのロックプレート２４の係合部材２４ｄ（図８参照）が、プラグ１０に形成されている係止部としての溝１４と係合し、プラグ１０が安定的に保持されるように構成されている。したがって、ブラインド２の取付作業は、ホルダ３０およびソケット２０を天井１に固定すると共に、プラグ１０をヘッドボックス３に取り付けておけば、ブラインド２全体を持ち上げて、プラグ１０とソケット２０とが係合するように天井１の方向に押し込むのみで完了することとなる。これにより、重量物であるブラインド２を取付位置まで持ち上げた状態でタッピングネジを締める等の煩雑な作業が不要となり、着脱作業を簡単かつ安全に行うことが可能となる。
【００２０】
なお、本発明に係るブラインド取付構造体は、第２実施形態として、天井１にプラグ１０を固定すると共に、ソケット２０と連結されるホルダ３０をブラインド２のヘッドボックス３に取り付けた構成とすることができる。前記実施形態に対して構成部品の順序を上下逆とした該構成によれば、天井１側にはプラグ１０が存在するのみとなるので、ブラインド２を取り外した際の天井１の外観性に与える影響を低減することができる。また、本発明に係るブラインド取付構造体は、その変形例として、ソケット２０を天井１に固定し、プラグ１０と連結されたホルダ３０をブラインド２のヘッドボックス３に取り付けた構成とすることができ、さらに、第２変形例として、プラグ１０と連結されたホルダ３０を天井１に固定し、ソケット２０をブラインド２のヘッドボックス３に取り付けた構成とすることが可能である。
【００２１】
図４は、本発明の一実施形態に係るブラインド取付構造体の構成を示す一部断面側面図である。この図では、ヘッドボックス３の長手方向から見た状態を示している。前記と同一符号は、同一または同等部分を示す。前記したように、ソケットボディ２１のネジ部２２と螺合されるナット４０は、天井１に固定されるホルダ３０に対して回転不能に保持されているので、ホルダ３０とソケット２０との結合は、ソケットボディ２１を回動させることで行うことができる。本実施形態では、ソケットボディ２１が６角柱形状であるので、スパナ等の工具によって容易に締め付けることが可能である。なお、ソケットボディ２１の形状は、本実施形態に示した６角柱状に限られず、各種の工具で掴みやすい多角形状とするほか、着脱時にのみ使用する専用工具が嵌合される溝や孔等を形成したり、さらには、素手での締め付けを可能とするレバー部材を取り付ける等の種々の変形が可能である。
【００２２】
また、ソケット２０は、ホルダ３０の本体部３１に長孔３１ａ（図３参照）が形成されているので、強固に締結する前の仮締め状態であれば、長孔３１ａの長さの範囲内で摺動可能である。これにより、ヘッドボックス３の長手方向、換言すれば、ブラインド２の横方向の取付位置を微調整できるほか、交換前のブラインドと交換後のブラインドとでプラグ１０の取付位置に若干のずれが生じていた場合でも、このずれを吸収して容易に取付作業を行うことが可能となる。なお、プラグ１０とソケット２０との保持構造の詳細は後述するが、この両者は、係合後でも互いに回動可能であるので、プラグ１０とソケット２０とを係合させた状態、すなわち、ブラインド２を天井１に取り付けた状態で微調整を行い、さらに、そのままソケット２０の本締め作業をすることが可能である。
【００２３】
図５（ａ），（ｂ）は、それぞれ、本発明の一実施形態に係るプラグ１０の正面図および一部断面側面図である。真鍮等の金属や樹脂等で形成されるプラグ１０の本体部１１は、傾斜部１３を挟んで小径部１２と大径部１７とが形成された形状とされている。前記大径部１７の外径部には、小径部１２とほぼ同外径を有する底面１４ａと、軸方向に垂直な側端面１４ｂ，１４ｂとから構成され、前記ロックプレート２４が係合する溝１４が形成されている。また、小径部１２の端面には直線状の溝１５が形成されており、この溝１５にマイナスドライバ等を係合させることによって、ネジ孔１６に螺合されると共に、ヘッドボックス３にプラグ１０を固定する取付ネジ５０（図４参照）の本締めを容易に行うことができる。
【００２４】
図６（ａ），（ｂ）は、それぞれ、ソケット２０の断面図（図２のＣ−Ｃ線断面図）および正面図である。前記と同一符号は、同一または同等部分を示す。ソケットボディ２１の略中央には、プラグ１０の形状に合わせて、小径部２８ａおよび大径部２８ｂとからなるプラグ係合孔２８が形成されている。前記したように、ソケットボディ２１の軸方向と垂直方向に貫通するスリット２３に、前記大径部２８ｂとほぼ同径の貫通孔２４ａを有するロックプレート２４が摺動可能に挿入されている。このロックプレート２４には、ソケットボディ２１の収納孔２５に収められた付勢部材としてのコイルばね２６によって常に図示上方への付勢力が与えられると共に、ソケットボディ２１の軸方向に圧入された２本の規制ピン２７によって図示の位置より上方に摺動できないように構成されている。したがって、ロックプレート２４に外力が加えられない状態では、前記貫通孔２４ａの端面が大径部２８ｂの径方向内側に突出した状態が保持されることとなる。なお、付勢部材としてのコイルばね２６は、板ばねや樹脂製の弾性体等への変更が可能である。
【００２５】
図７（ａ），（ｂ）は、それぞれ、ソケット２０にプラグ１０が係合した時のソケット２０の断面図および図７（ａ）のＡ−Ａ線断面図である。また、図８（ａ），（ｂ）は、それぞれ、図７の状態からロックプレート２４を押圧してプラグ１０をソケット２０から取り外す時の状態を示す断面図および図８（ａ）のＢ−Ｂ線断面図である。前記と同一符号は、同一または同等部分を示す。ロックプレート２４には、前記規制ピン２７が貫通する長孔２４ｂが形成されており、ロックプレート２４の摺動可能範囲は、この長孔２４ｂの形状により定められる。
【００２６】
そして、ソケット２０にプラグ１０を係合させる際には、プラグ１０の傾斜部１３がロックプレート２４の貫通孔２４ａの端面に当接する位置から、さらにコイルばね２６の付勢力に抗して押し込むことで、傾斜部１３に沿ってロックプレート２４が摺動された後、図７に示すように、溝１４と貫通孔２４ａの端部とが係合されることとなる。一方、ソケット２０からプラグ１０を取り外す際には、ロックプレート２４の外方からコイルばね２６の付勢力に抗する力で押圧して図８のようにロックプレート２４を摺動させて係合状態を解除すれば、ソケット２０からプラグ１０を容易に引き抜くことができる。本実施形態に係る施錠手段としてのロックプレート２４は、操作部材２４ｃと係合部材２４ｄとを一体的に形成した構成とされている。そして、前記操作部材２４ｃをソケット２０の径方向内側にコイルばね２６の付勢力に抗して押すことでロックプレート２４全体が径方向に移動して、プラグ１０と係合部材２４ｄとの係合状態が解除されることとなる。前記操作部材２４ｃと係合部材２４ｄとは別体に構成されてもよい。
【００２７】
プラグ１０の軸方向に対して垂直方向にロックプレート２４を係合させるこのような係合機構は、プラグ１０とソケット２０との間に発生する引っ張り応力に対して強固な構造であるので、プラグ１０とソケット２０との間に引っ張り応力のみが働く、すなわち、重量物であるブラインド２を天井１に取り付けるためのブラケットに好適な構造である。また、プラグ１０およびソケット２０が、従来方式に比して大幅に小型化できるので、天井１とブラインド２との間隔を狭めることが可能となる。さらに、ブラインド２は、ロックプレート２４を押圧するのみで取り外すことができるので、天井１とブラインド２との間隔を狭く設定した場合でも、ブラインド２の着脱性に悪影響を与えることがない。
【００２８】
上記したように、本発明に係るブラインド取付構造体によれば、工具を使用することなくブラインドの着脱を簡単に行うことが可能となる。また、ソケットおよびプラグの構造が簡単なので、ソケットおよびプラグの小型化を図ることができ、天井とブラインドとの間隔を狭めることが容易となる。また、工具を使わずにブラインドの着脱ができるので、天井とブラインドとの間隔を狭めた場合でも、着脱作業のしやすさを保つことができる。さらに、ソケットおよびプラグの構造が簡単で部品点数が少なく、かつ両者の小型化が図られることにより、ブラインド取付構造体の製造コストが大幅に低減される。また、ソケットおよびプラグと共に、天井に取り付けられるホルダも小型化されるので、ブラインド取付構造体全体が目立たなくなり、ブラインドの外観性を向上させることができるようになる。
【００２９】
なお、ホルダ、ソケット、プラグ等の形状や材質、ブラインド取付構造体の配設位置等は、上記した実施形態に限られず、種々の変形が可能であることは勿論である。例えば、ソケットの構造は、前記実施形態に示した係合部材による係合状態が、係合部材の摺動方向とは異なる方向に作動するレバー等の操作で解除される構造としたり、また、径方向に移動する鋼球によって係合状態を発生させると共に、ソケットの軸方向に摺動するスリーブ部材によって解除する構造等に変形することが可能である。
【図面の簡単な説明】
【００３０】
【図１】本発明の一実施形態に係るブラインド取付構造体を適用したブラインドの斜視図である。
【図２】本発明の一実施形態に係るブラインド取付構造体の構成を示す一部断面正面図である。
【図３】本発明の一実施形態に係るホルダの上面図である。
【図４】本発明の一実施形態に係るブラインド取付構造体の構成を示す一部断面側面図である。
【図５】本発明の一実施形態に係るプラグの正面図および一部断面側面図である。
【図６】本発明の一実施形態に係るソケットの断面図（図２のＣ−Ｃ線断面図）および正面図である。
【図７】プラグが係合した時のソケットの断面図および図７（ａ）のＡ−Ａ線断面図である。
【図８】図７の状態からロックプレートを押圧した状態を示す断面図および図８（ａ）のＢ−Ｂ線断面図である。
【符号の説明】
【００３１】
１…天井（被取付部）、１ａ…タッピングビス、２…ブラインド、３…ヘッドボックス、４…スラット、５…ボトムレール、１０…プラグ、１４…溝（係止部）、２０…ソケット、２１…ソケットボディ、２２…ネジ部、２３…スリット、２４…ロックプレート、２４ｃ…操作部材、２４ｄ…係合部材、３０…ホルダ、３１…本体部、４０…ナット
【図１】
2008014035.tif 000003
【図２】
2008014035.tif 000004
【図３】
2008014035.tif 000005
【図４】
2008014035.tif 000006
【図５】
2008014035.tif 000007
【図６】
2008014035.tif 000008
【図７】
2008014035.tif 000009
【図８】
2008014035.tif 000010